(57)【要約】【課題】観察方向に制限されることなく潜像による真偽判別を容易に行う。【解決手段】背景色領域１２にこの背景色領域１２とは色が異なる複数のマーク部１１がマトリックス状に設けられ、この背景色領域１２の所定領域にて複数のマーク部１１の配列方向と並行して行及び／または列を構成した複数の凸部１３からなる第１の凸部群が形成されるとともに、背景色領域１２における所定領域を取り囲む領域にて第１の凸部群を構成する複数の凸部１３の配列方向と並行して行及び／または列を構成した複数の凸部１４からなる第２の凸部群が形成された構成とする。【選択図】図１
2008030222.tif 000002
【特許請求の範囲】
【請求項１】
基材表面に設けられた背景色領域と、
前記背景色領域上にて該背景色領域とは異なる色を有してマトリックス状に設けられた複数のマーク部と、
前記背景色領域の所定領域にて前記複数のマーク部の配列方向と並行して行及び／または列を構成し、前記背景色領域の色が頂部にて表出するように前記基材表面から突出して形成された複数の凸部からなる第１の凸部群と、
前記背景色領域における前記所定領域以外の領域にて前記第１の凸部群を構成する複数の凸部の配列方向と並行して行及び／または列を構成し、頂部が当該マーク部を含むように前記基材表面から突出して形成された複数の凸部からなる第２の凸部群とを有する偽造防止媒体。
【発明の詳細な説明】
【技術分野】
【０００１】
本発明は、偽造防止シート等の偽造防止媒体に関し、特に、潜像を用いた偽造防止構造に関する。
【背景技術】
【０００２】
従来より、プリペイドカードや各種入場券、商品券や株券等の有価証券においては、広く流通しており比較的容易に換金可能である等の理由から、偽造犯罪が頻発している。特に、近年ではカラーコピー機等の複写機の性能向上と普及に伴い、簡単には真正品と見分けられない偽造品が比較的容易に製造可能になってきており、偽造に対する対策が求められている。また、上述したような有価証券に限らず、紙幣においても偽造に対する対策が求められている。
【０００３】
このような偽造に対する対策の１つとして、潜像を用いて有価証券や紙幣の真偽判別を可能とする技術が考えられており、例えば、特許文献１に開示されている。
【０００４】
特許文献１に開示された技術は、シート基材上に、複数本の印刷万線と、この印刷万線と並列し、一部が印刷万線と直交する方向に延在し、かつ、断面が隆起したレリーフ万線とを設け、観察方向によって潜像を浮かび上がらせるものである。基材を正面から見た場合は全ての印刷万線が視認可能な状態となっている。ところが、観察方向を印刷万線及びレリーフ万線と直交する方向に変化させていくと、印刷万線のうちレリーフ万線が延在した部分がその延在したレリーフ万線の陰となって視認できなくなる一方、印刷万線のその他の部分は視認可能な状態のままとなる。これにより、レリーフ万線の形状に応じた潜像を浮かび上がらせることができる。
【０００５】
このように断面が隆起したレリーフ万線を設けたシート基材においては、複写した場合、表面に印刷された印刷万線を含む印刷情報は複写されるものの、レリーフ万線の隆起形状までは再現できない。そのため、複写物の観察方向を変化させていった場合であっても、潜像は浮かび上がらず、それにより、真偽判別を行うことが可能となる。
【特許文献１】特開２０００−３１３１６１号公報
【発明の開示】
【発明が解決しようとする課題】
【０００６】
しかしながら、上述したように、シート基材上に、複数本の印刷万線と、この印刷万線と並列し、一部が印刷万線と直交する方向に延在し、かつ、断面が隆起したレリーフ万線とを設け、この印刷万線とレリーフ万線とで潜像を浮かび上がらせるものにおいては、印刷万線及びレリーフ万線と直交する方向から観察した場合にしか潜像が浮かび上がらず、潜像による真偽判別がしやすいとは言い難い。特に、観察方向が制限されている場合、潜像による真偽判別ができなくなる虞れがある。
【０００７】
本発明は、上述したような従来の技術が有する問題点に鑑みてなされたものであって、観察方向に制限されることなく潜像による真偽判別を容易に行うことができる偽造防止媒体を提供することを目的とする。
【課題を解決するための手段】
【０００８】
上記目的を達成するために本発明は、
基材表面に設けられた背景色領域と、
前記背景色領域上にて該背景色領域とは異なる色を有してマトリックス状に設けられた複数のマーク部と、
前記背景色領域の所定領域にて前記複数のマーク部の配列方向と並行して行及び／または列を構成し、前記背景色領域の色が頂部にて表出するように前記基材表面から突出して形成された複数の凸部からなる第１の凸部群と、
前記背景色領域における前記所定領域以外の領域にて前記第１の凸部群を構成する複数の凸部の配列方向と並行して行及び／または列を構成し、頂部が当該マーク部を含むように前記基材表面から突出して形成された複数の凸部からなる第２の凸部群とを有する。
【０００９】
上記のように構成された本発明においては、基材を正面から観察した場合、基材表面の背景色領域に背景色領域とは異なる色でマトリックス状に設けられた複数のマーク部が認識される。基材には基材表面から突出した複数の凸部が形成されているが、基材を正面から観察した場合は、この凸部の突出方向から観察することになるため、複数のマーク部がマトリックス状となって認識されるだけであり、潜像は浮かび上がって見えてこない。この状態から観察方向を基材表面に対して鋭角をなす方向に変化させていくと、基材表面から突出した複数の凸部の側面が、その凸部の観察方向側に隣接する凸部によって隠れて見えなくなっていき、頂部のみが見えるような状態となる。その際、複数の凸部のうち、第１の凸部群を構成する凸部においては背景色領域の色が頂部にて表出しており、また、第２の凸部群を構成する凸部においては背景色領域とは異なる色のマーク部が頂部にて表出している。そのため、これらの色の違いによって第１の凸部群または第２の凸部群による潜像が浮かび上がって見えるようになる。ここで、本発明においては、背景色領域に複数のマーク部がマトリックス状に設けられ、この背景色領域の所定領域にて複数のマーク部の配列方向と並行して行及び／または列を構成した複数の凸部からなる第１の凸部群が形成されるとともに、背景色領域における所定領域以外の領域にて第１の凸部群を構成する複数の凸部の配列方向と並行して行及び／または列を構成した複数の凸部からなる第２の凸部群が形成されているので、基材表面に対して鋭角をなすどの方向から観察した場合であっても、基材表面から突出した複数の凸部の側面が、その凸部の観察方向側に隣接する凸部によって隠れて見えなくなっていき、頂部のみが見えるような状態となり、第１の凸部群の頂部の色と第２の凸部群の頂部の色との違いによって第１の凸部群または第２の凸部群による潜像が浮かび上がって見えるようになる。
【発明の効果】
【００１０】
以上説明したように本発明においては、背景色領域にこの背景色領域とは色が異なる複数のマーク部がマトリックス状に設けられ、この背景色領域の所定領域にて複数のマーク部の配列方向と並行して行及び／または列を構成した複数の凸部からなる第１の凸部群が形成されるとともに、背景色領域における所定領域以外の領域にて第１の凸部群を構成する複数の凸部の配列方向と並行して行及び／または列を構成した複数の凸部からなる第２の凸部群が形成された構成としたため、基材表面に対して鋭角をなすどの方向から観察した場合であっても、基材表面から突出した複数の凸部の側面が、その凸部の観察方向側に隣接する凸部によって隠れて見えなくなっていき、頂部のみが見えるような状態となり、観察方向に制限されることなく第１の凸部群または第２の凸部群による潜像が浮かび上がってその潜像による真偽判別を容易に行うことができる。
【発明を実施するための最良の形態】
【００１１】
以下に、本発明の実施の形態について図面を参照して説明する。
【００１２】
図１は、本発明の偽造防止媒体の実施の一形態となる偽造防止シートを示す図であり、（ａ）は全体の構成を示す図、（ｂ）は（ａ）に示した偽造防止構造１０の詳細な構成を示す図、（ｃ）は（ｂ）に示したＡ−Ａ’断面図、（ｄ）は（ｂ）に示したＢ−Ｂ’断面図、（ｅ）は潜像を表現するための第１の凸部群を構成する凸部１３の構成を示す図、（ｆ）は第２の凸部群を構成する凸部１４の構成を示す図である。
【００１３】
本形態の偽造防止シート１は図１に示すように、紙からなるシート基材２の一部の領域に偽造防止構造１０が設けられて構成されている。シート基材２は、基材表面となる平面部３を有し、この平面部３の一部の領域に情報印刷領域４が設けられるとともに、他の領域に偽造防止構造１０が設けられている。このように構成された偽造防止シート１は、例えば、コンサート等の入場チケットとして用いることが考えられる。その場合、コンサートの内容や会場名、座席番号等が情報印刷領域４に印刷されることになる。また、シート基材２の情報印刷領域４に情報が印刷される前に、シート基材２に対してプレ印刷として地紋を印刷したり所定の色に着色したりすることも考えられるが、その場合、偽造防止構造１０による潜像が見にくくならないようにする必要がある。
【００１４】
図１（ｂ）に示すように、シート基材２に設けられた偽造防止構造１０には、シート基材２の平面部３のベース色と同一の白色からなる背景色領域１２上に、背景色領域１２とは異なる黒色からなる複数のマーク部１１がマトリックス状に設けられている。複数のマーク部１１がマトリックス状に設けられた領域には、第１の凸部群を構成する複数の凸部１３と、第２の凸部群を構成する複数の凸部１４とが形成されている。これら凸部１３，１４は図１（ｃ）〜（ｆ）に示すように、円錐から頂点の部分が取り除かれた形状であって、シート基材２の表面から平面部３の法線方向に０．０５〜０．１ｍｍ程度突出し、平面部３との境界部分が直径０．５ｍｍ以下の円形状となっている。この境界部分から離れていくに従ってその断面積が徐々に狭くなり、境界部分の反対側は平面部３と平行な頂部１３ｂ，１４ｂとなっている。第１の凸部群を構成する複数の凸部１３は、第１の凸部群の形状によって潜像となる「Ｔ」の字を表現するように複数のマーク部１１の配列方向と並行して行や列を構成して背景色領域１２の所定領域に形成されており、そのそれぞれは、マトリックス状に設けられた複数のマーク部１１間に形成されている。それにより、図１（ｅ）に示すように、４つのマーク部１１の一部がそれぞれ側面１３ａにかかるとともに、その４つのマーク部１１に囲まれた部分の背景色領域１２の白色が頂部１３ｂにて表出している。また、第２の凸部群を構成する複数の凸部１４は、背景色領域１２にて第１の凸部群を構成する複数の凸部１３が形成された領域を取り囲むように、複数の凸部１３の配列方向と並行して行や列を構成して形成されており、そのそれぞれは、マトリックス状に設けられた複数のマーク部１１のうち、所定領域以外の領域に設けられたマーク部１１上に形成されている。それにより、図１（ｆ）に示すように、頂部１４ｂ及び側面１４ａがマーク部１１を含むようなものとなっている。なお、本形態にて図示する偽造防止構造１０は、説明を簡単にするために１００個のマーク部１１が１０×１０のマトリックス状に形成されたものであるが、その数を多くすればするほど、この偽造防止構造１０によって浮き上がらせることができる潜像となる文字を精細なものとすることができ、曲線等を表現しやすくなる。
【００１５】
以下に、上記のように構成された偽造防止シート１の製造方法について説明する。
【００１６】
まず、シート基材２の偽造防止構造１０が設けられる領域、すなわち、白色の背景色領域１２となる領域に、１００個のマーク部１１を１０×１０のマトリックス状に黒色で印刷する。なお、このマーク部１１の印刷は、上述したようなプレ印刷と同時に行ってもよいし、上述したプレ印刷を行った後に行ってもよい。
【００１７】
次に、マーク部１１が印刷された領域に、第１の凸部群を構成する凸部１３と、第２の凸部群を構成する凸部１４とをエンボス版を用いて形成する。凸部１３は、マーク部１１が印刷された領域のうち、潜像となる「Ｔ」を形成する所定領域にてマトリックス状に設けられた複数のマーク部１１間に形成し、また、凸部１４は、マトリックス状に設けられた複数のマーク部１１のうち、所定領域以外の領域に設けられたマーク部１１上に形成する。
【００１８】
上述したようにして偽造防止シート１が製造され、その後、用途に応じた情報がシート基材２の情報印刷領域４に印刷されて使用されることになる。
【００１９】
以下に、上述した偽造防止シート１の作用について説明する。
【００２０】
まず、図１に示した偽造防止シート１を正面、すなわち、シート基材２の平面部３の法線方向から観察した場合の作用について説明する。
【００２１】
図２は、図１に示した偽造防止シート１を正面から観察した場合の作用を説明するための図であり、偽造防止構造１０の見え方を示す。
【００２２】
図１に示した偽造防止シート１を、正面、すなわち平面部３の法線方向から観察した場合、図２に示すように、偽造防止構造１０においては、背景色領域１２が白色であるのに対してこの背景色領域１２にマトリックス状に設けられた複数のマーク部１１が黒色であることから、マトリックス状の複数のマーク部１１が認識される。この際、シート基材２には、平面部３から突出した複数の凸部１３，１４が形成されているが、偽造防止シート１を正面から観察した場合は、この凸部１３，１４の突出方向から観察することになるため、マーク部１１は観察方向から遮るものが存在せずにマトリックス状に設けられた全てのマーク部１１が視認され、また、凸部１３，１４が認識されにくく、潜像「Ｔ」は浮かび上がって見えてこない。
【００２３】
次に、図１に示した偽造防止シート１に対する観察方向を正面、すなわち、シート基材２の平面部３の法線方向から変化させていった場合の作用について説明する。
【００２４】
図３は、図１に示した偽造防止シート１に対する観察方向を正面から変化させていった場合の作用を説明するための図であり、（ａ）は第１の凸部群を構成する凸部１３について側面方向から見た図、（ｂ）は第２の凸部群を構成する凸部１４について側面方向から見た図、（ｃ）〜（ｆ）は偽造防止構造１０の見え方を示す図である。
【００２５】
図１に示した偽造防止シート１に対する観察方向を正面から変化させていくと、シート基材２の平面部３に対する観察方向のなす角度が鋭角になっていく。すると、図３（ａ），（ｂ）に示すように、平面部３から突出した複数の凸部１３，１４の側面１３ａ，１４ａが、その凸部１３，１４の観察方向側に隣接する凸部１３，１４によって隠れて見えなくなっていき、頂部１３ｂ，１４ｂのみが見えるような状態となる。
【００２６】
ここで、複数の凸部１３，１４のうち、潜像を表現する第１の凸部群を構成する凸部１３においては、図１（ｅ）に示したように、背景色領域１２の白色が頂部１３ｂにて表出しており、また、第２の凸部群を構成する凸部１４においては、図１（ｆ）に示したように、背景色領域１２とは異なる黒色のマーク部１１が頂部１４ｂにて表出している。
【００２７】
そのため、偽造防止シート１に対する観察方向を、例えば図１中下側に変化させていき、複数の凸部１３，１４の側面１３ａ，１４ａが、その凸部１３，１４の観察方向側に隣接する凸部１３，１４によって隠れて見えなくなっていき、頂部１３ｂ，１４ｂのみが見えるような状態となると、凸部１３の頂部１３ｂと、凸部１４の頂部１４ｂとの色に違いによって、図３（ｃ）に示すように、複数の凸部１３からなる第１の凸部群の形状によって構成される潜像「Ｔ」が白色で浮かび上がって見えるようになる。
【００２８】
ここで、図１に示した偽造防止シート１においては、背景色領域１２に複数のマーク部１１がマトリックス状に設けられ、この背景色領域１２の所定領域にて複数のマーク部１１の配列方向と並行して行や列を構成することにより潜像「Ｔ」を形成する複数の凸部１３からなる第１の凸部群が形成されるとともに、背景色領域１２における所定領域を取り囲む領域にて第１の凸部群を構成する複数の凸部１３の配列方向と並行して行や列を構成することにより潜像「Ｔ」を取り囲む複数の凸部１４からなる第２の凸部群が形成されている。そのため、第１の凸部群を構成する複数の凸部１３と第２の凸部群を構成する複数の凸部１４とが行や列を含む略マトリックス状となっており、平面部３に対して鋭角をなすどの方向から観察した場合であっても、複数の凸部１３，１４の側面１３ａ、１４ａが、その凸部１３，１４の観察方向側に隣接する凸部１３，１４によって隠れて見えなくなっていき、頂部１３ｂ，１４ｂのみが見えるような状態となり、第１の凸部群を構成する複数の凸部１３の頂部１３ｂの色と第２の凸部群を構成する複数の凸部１４の頂部１４ｂの色との違いによって第１の凸部群による潜像「Ｔ」が白色で浮かび上がって見えるようになる。例えば、偽造防止シート１に対する観察方向を図１中上側に変化させていくと、複数の凸部１３からなる第１の凸部群の形状によって構成される潜像「Ｔ」が図３（ｄ）に示すように浮かび上がって見えるようになり、また、偽造防止シート１に対する観察方向を図１中右側に変化させていくと、複数の凸部１３からなる第１の凸部群の形状によって構成される潜像「Ｔ」が図３（ｅ）に示すように浮かび上がって見えるようになり、また、偽造防止シート１に対する観察方向を図１中左側に変化させていくと、複数の凸部１３からなる第１の凸部群の形状によって構成される潜像「Ｔ」が図３（ｆ）に示すように浮かび上がって見えるようになる。
【００２９】
なお、上述したどの方向から観察した場合においても、第２の凸部群を構成する複数の凸部１４のうち観察方向最も手前の列を構成する凸部１４においては、その側面１４ａが視認可能な状態となるが、凸部１３，１４の数が多かったり、凸部１３によって構成される潜像の線幅が、観察方向最も手前の列を構成する凸部１４の側面１４ａに表出したマーク部１１による線幅よりも太かったりすること等によってこのマーク部１１が潜像とは無関係であることが認識できればよい。もし、観察方向最も手前の列を構成する凸部１４の側面１４ａに表出したマーク部１１によって潜像が不明瞭となるような場合は、潜像を構成する凸部１３を、マトリックス状に形成された複数のマーク部１１のうち、周囲から離れたマーク部１１間に設ける等すればよい。
【００３０】
上述した偽造防止シート１は、複写した場合、シート基材２の情報印刷領域４に印刷された情報や、シート基材２に印刷によりマトリックス状に設けられたマーク部１１は複写されるものの、凸部１３，１４までは再現できない。そのため、複写物の観察方向を変えていった場合であっても、複数の凸部１３からなる第１の凸部群による潜像は浮かび上がらず、それにより、真偽判別を行うことが可能となる。このように真偽判別を行う際、本形態の偽造防止シート１においては、偽造防止シート１に対する観察方向をシート基材２の平面部３の法線方向からどの方向に変化させていった場合であっても、複数の凸部１３からなる第１の凸部群による潜像が浮かび上がって見えるため、観察方向に制限されることなく潜像による真偽判別を容易に行うことができる。
【００３１】
（他の実施の形態）
図４は、本発明の偽造防止媒体の他の実施の形態となる偽造防止シートを示す図であり、（ａ）は全体の構成を示す図、（ｂ）は（ａ）に示した偽造防止構造１１０の詳細な構成を示す図、（ｃ）は（ｂ）に示したＡ−Ａ’断面図、（ｄ）は（ｂ）に示したＢ−Ｂ’断面図、（ｅ）は潜像を表現するための第１の凸部群を構成する凸部１１３の構成を示す図、（ｆ）は第２の凸部群を構成する凸部１１４の構成を示す図である。
【００３２】
本形態は図４に示すように、図１に示したものに対して、シート基材１０２の偽造防止構造１１０となる領域に黒色で背景色領域１１２が設けられ、この背景色領域１１２に白色のマーク部１１１がマトリックス状に設けられている点のみが異なるものである。すなわち、図１に示したものに対して、背景色領域１１２の色とマーク部１１１の色とが反転しているものである。
【００３３】
上記のように構成された偽造防止シート１０１においては、正面から見た場合は、黒色の背景色領域１１２にマトリックス状に設けられたマーク部１１１が白色で認識されるだけで潜像「Ｔ」は認識されない。そして、偽造防止シート１０１に対する観察方向を正面から変化させていくと、平面部１０３から突出した複数の凸部１１３，１１４の側面１１３ａ，１１４ａが、その凸部１１３，１１４の観察方向側に隣接する凸部１１３，１１４によって隠れて見えなくなっていき、頂部１１３ｂ，１１４ｂのみが見えるような状態となり、凸部１１３の頂部１１３ｂと凸部１１４の頂部１１４ｂとの色に違いによって、複数の凸部１１３からなる第１の凸部群の形状によって構成される潜像「Ｔ」が黒色で浮かび上がって見えるようになる。
【００３４】
図５は、本発明の偽造防止媒体の他の実施の形態となる偽造防止シートを示す図であり、（ａ）は全体の構成を示す図、（ｂ）は（ａ）に示した偽造防止構造２１０の詳細な構成を示す図、（ｃ）は（ｂ）に示したＡ−Ａ’断面図、（ｄ）は（ｂ）に示したＢ−Ｂ’断面図、（ｅ）は潜像を表現するための第１の凸部群を構成する凸部２１３の構成を示す図、（ｆ）は第２の凸部群を構成する凸部２１４の構成を示す図である。
【００３５】
本形態は図５に示すように、図１に示したものに対して、シート基材２０２にマトリックス状に設けられたマーク部２１１の大きさが、凸部２１４の頂部２１４ｂよりも小さい点のみが異なるものである。
【００３６】
上記のように構成された偽造防止シート２０１においては、正面から見た場合は、白色の背景色領域２１２にマトリックス状に設けられたマーク部２１１が黒色で認識されるだけで潜像「Ｔ」は認識されない。そして、偽造防止シート２０１に対する観察方向を正面から変化させていくと、平面部２０３から突出した複数の凸部２１３，２１４の側面２１３ａ，２１４ａが、その凸部２１３，２１４の観察方向側に隣接する凸部２１３，２１４によって隠れて見えなくなっていき、頂部２１３ｂ，２１４ｂのみが見えるような状態となり、凸部２１３の頂部２１３ｂと凸部２１４の頂部２１４ｂとの色に違いによって、複数の凸部２１３からなる第１の凸部群の形状によって構成される潜像「Ｔ」が白色で浮かび上がって見えるようになる。
【００３７】
図６は、本発明の偽造防止媒体の他の実施の形態となる偽造防止シートを示す図であり、（ａ）は全体の構成を示す図、（ｂ）は（ａ）に示した偽造防止構造３１０の詳細な構成を示す図、（ｃ）は（ｂ）に示したＡ−Ａ’断面図、（ｄ）は（ｂ）に示したＢ−Ｂ’断面図、（ｅ）は潜像を表現するための第１の凸部群を構成する凸部３１３の構成を示す図、（ｆ）は第２の凸部群を構成する凸部３１４の構成を示す図である。
【００３８】
本形態は図６に示すように、図５に示したものに対して、シート基材３０２の偽造防止構造３１０となる領域に黒色で背景色領域３１２が設けられ、この背景色領域３１２に白色のマーク部３１１がマトリックス状に設けられている点のみが異なるものである。すなわち、図５に示したものに対して、背景色領域３１２の色とマーク部３１１の色とが反転しているものである。
【００３９】
上記のように構成された偽造防止シート３０１においては、正面から見た場合は、黒色の背景色領域３１２にマトリックス状に設けられたマーク部３１１が白色で認識されるだけで潜像「Ｔ」は認識されない。そして、偽造防止シート３０１に対する観察方向を正面から変化させていくと、平面部３０３から突出した複数の凸部３１３，３１４の側面３１３ａ，３１４ａが、その凸部３１３，３１４の観察方向側に隣接する凸部３１３，３１４によって隠れて見えなくなっていき、頂部３１３ｂ，３１４ｂのみが見えるような状態となり、凸部３１３の頂部３１３ｂと凸部３１４の頂部３１４ｂとの色に違いによって、複数の凸部３１３からなる第１の凸部群の形状によって構成される潜像「Ｔ」が黒色で浮かび上がって見えるようになる。
【００４０】
なお、上述した実施の形態における凸部１３，１４，１１３，１１４，２１３，２１４，３１３，３１４の平面部３，１０３，２０３，３０３からの高さや平面部３，１０３，２０３，３０３との境界部分の寸法については、上述したものに限らず、適宜設定が可能である。
【００４１】
また、凸部１３，１４，１１３，１１４，２１３，２１４，３１３，３１４においては、円柱形のものや頂部１３ｂ，１４ｂ，１１３ｂ，１１４ｂ，２１３ｂ，２１４ｂ，３１３ｂ，３１４ｂがない円錐形のものやドーム型のものとすることも考えられる。ただし、上述したように平面部３，１０３，２０３，３０３と平行となる頂部１３ｂ，１４ｂ，１１３ｂ，１１４ｂ，２１３ｂ，２１４ｂ，３１３ｂ，３１４ｂを有する形状の方が、背景色領域１２，１１２，２１２，３１２による色が連なる状態となって潜像を明確に浮かび上がらせることができる。また、断面が矩形状となるものとすることも考えられる。ただし、図１及び図４に示したものにおいては、凸部１３，１４，１１３，１１４のうち、少なくとも潜像を表現する第１の凸部群を構成する凸部１３，１１３を、平面部３，１０３との境界部分が円形状のように中心からの距離が略一定となるものとした方が、どの方向から観察しても視認可能となる頂部１３ｂ，１１３ｂの形状が同一となり、凸部１３，１１３によって浮かび上がる潜像の精細な形状を均一化することができる。また、平面部３，１０３，２０３，３０３に対する形成角度においては、凸部１３，１４，１１３，１１４，２１３，２１４，３１３，３１４の側面１３ａ，１４ａ，１１３ａ，１１４ａ，２１３ａ，２１４ａ，３１３ａ，３１４ａを観察方向側に隣接する凸部１３，１４，１１３，１１４，２１３，２１４，３１３，３１４によって隠れやすくするために、平面部３，１０３，２０３，３０３の法線方向に平行に突出するように形成し、凸部１３，１４，１１３，１１４，２１３，２１４，３１３，３１４のそれぞれを円柱等の柱状に形成することが好ましい。
【００４２】
また、潜像となる情報は、上述した「Ｔ」のように複数の凸部１３，１１３，２１３，３１３が行及び列を構成したものに限らず、複数の凸部１３，１１３，２１３，３１３が行のみを構成だけ、あるいは列のみを構成しただけのものであってもよい。また、一文字からなるものに限らず、複数の文字からなるものや模様等であってもよい。また、潜像を表現する第１の凸部群を構成する複数の凸部１３，１１３，２１３，３１３を複数の領域に分割し、その複数の領域毎に文字等が浮かび上がる構成とすることも考えられる。また、第２の凸部群を構成する複数の凸部１４，１１４，２１４，３１４が、背景色領域１２，１１２，２１２，３１２にて第１の凸部群を構成する複数の凸部１３，１１３，２１３，３１３が形成された領域を完全に取り囲むのではなく、一部が開放されるようにして、第２の凸部群を構成する複数の凸部１４，１１４，２１４，３１４が、第１の凸部群を構成する複数の凸部１３，１１３，２１３，３１３が形成された領域を囲むような形状であってもよい。
【００４３】
また、上述した実施の形態においては、複数の凸部１３，１１３，２１３，３１３からなる第１の凸部群の形状によって潜像「Ｔ」を表現しているが、複数の凸部１４，１１４，２１４，３１４からなる第２の凸部群の形状によって潜像「Ｔ」を表現してもよい。その場合は、偽造防止シート１，１０１，２０１，３０１に対する観察方向を正面から変化させていくと、複数の凸部１４，１１４，２１４，３１４の頂部１４ｂ，１１４ｂ，２１４ｂ，３１４ｂに表出している色、すなわち、マーク部１１，１１１，２１１，３１１の色で潜像「Ｔ」が浮かび上がって見えるようになる。
【００４４】
また、上述した実施の形態においては、偽造防止媒体として、紙からなるシート基材２，１０２，２０２，３０２に偽造防止構造１０，１１０，２１０，３１０が設けられた偽造防止シート１，１０１，２０１，３０１を例に挙げて説明したが、本発明はこのような偽造防止シート１，１０１，２０１，３０１に限らず、フィルムからなるシート基材や複数の樹脂層が積層されてなるカード基材に上述したような偽造防止構造１０，１１０，２１０，３１０を設けたものにも適用することが可能である。
【図面の簡単な説明】
【００４５】
【図１】本発明の偽造防止媒体の実施の一形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は（ｂ）に示したＢ−Ｂ’断面図、（ｅ）は潜像を表現するための第１の凸部群を構成する凸部の構成を示す図、（ｆ）は第２の凸部群を構成する凸部の構成を示す図である。
【図２】図１に示した偽造防止シートを正面から観察した場合の作用を説明するための図である。
【図３】図１に示した偽造防止シートに対する観察方向を正面から変化させていった場合の作用を説明するための図であり、（ａ）は第１の凸部群を構成する凸部について側面方向から見た図、（ｂ）は第２の凸部群を構成する凸部について側面方向から見た図、（ｃ）〜（ｆ）は偽造防止構造の見え方を示す図である。
【図４】本発明の偽造防止媒体の他の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は（ｂ）に示したＢ−Ｂ’断面図、（ｅ）は潜像を表現するための第１の凸部群を構成する凸部の構成を示す図、（ｆ）は第２の凸部群を構成する凸部の構成を示す図である。
【図５】本発明の偽造防止媒体の他の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は（ｂ）に示したＢ−Ｂ’断面図、（ｅ）は潜像を表現するための第１の凸部群を構成する凸部の構成を示す図、（ｆ）は第２の凸部群を構成する凸部の構成を示す図である。
【図６】本発明の偽造防止媒体の他の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は（ｂ）に示したＢ−Ｂ’断面図、（ｅ）は潜像を表現するための第１の凸部群を構成する凸部の構成を示す図、（ｆ）は第２の凸部群を構成する凸部の構成を示す図である。
【符号の説明】
【００４６】
１，１０１，２０１，３０１    偽造防止シート
２，１０２，２０２，３０２    シート基材
３，１０３，２０３，３０３    平面部
４，１０４，２０４，３０４    情報印刷領域
１０，１１０，２１０，３１０    偽造防止構造
１１，１１１，２１１，３１１    マーク部
１２，１１２，２１２，３１２    背景色領域
１３，１４，１１３，１１４，２１３，２１４，３１３，３１４    凸部
１３ａ，１４ａ，１１３ａ，１１４ａ，２１３ａ，２１４ａ，３１３ａ，３１４ａ    側面
１３ｂ，１４ｂ，１１３ｂ，１１４ｂ，２１３ｂ，２１４ｂ，３１３ｂ，３１４ｂ    頂部
【図１】
2008030222.tif 000003
【図２】
2008030222.tif 000004
【図３】
2008030222.tif 000005
【図４】
2008030222.tif 000006
【図５】
2008030222.tif 000007
【図６】
2008030222.tif 000008